(57)【特許請求の範囲】
【請求項１】
端末本体に設けられた操作部と、前記操作部のキー操作によりダイヤルロックの設定及び解除を可能にした携帯端末であって、
前記端末本体に作用する振動を検知するセンサーと、
前記センサーを作動状態に設定するセンサー設定手段と、
前記センサーが作動状態に設定された時点から前記端末本体に対する振動無しの時間を計数する第１計時手段と、
前記端末本体に対する振動無しの時間を予め設定する振動無し時間設定手段と、
前記操作部上の２つ以上の任意キーを選択することによりダイヤルロック用のパスワードとして設定するパスワード設定手段とを備え、
前記センサーが前記センサー設定手段により作動状態に設定された時点から前記第１計時手段の計数動作を開始し、該第１計時手段の計数値が前記振動無し時間設定手段で設定された時間以上になった時は前記端末本体をダイヤルロックモードに移行させ、このダイヤルロックモードの状態において前記パスワード設定手段で２つ以上の任意キーが選択され設定されていることにより前記操作部のキー操作が無効となるように構成し、
前記端末本体のダイヤルロックモードにおいて、前記パスワード設定手段で選択設定されるべきキーを前記操作部上のキー操作によりダイヤルロック解除用のパスワードとして入力し、この入力したキーと前記パスワード設定手段で設定されたキーとが比較され、両者が一致した時は前記端末本体のダイヤルロックが解除されるように構成した、
ことを特徴とする携帯端末。
【請求項２】
前記第１計時手段は、該第１計時手段で計数される計数値が前記振動無し時間設定手段で設定された時間に達する以前に前記センサーが前記振動を検知した時は該振動を検知するごとにリセットされるように構成されていることを特徴とする請求項１記載の携帯端末。
【請求項３】
前記操作部の任意１つのキーを所定の時間押圧することによりダイヤルロック用のパスワードとして設定する押圧キー設定手段と、前記押圧キー設定手段で設定されたキーの押圧時間を計数する第２計時手段とを備え、前記パスワード設定手段によるキーの選択設定がなされていないと判断された時は前記押圧キー設定手段で設定されたキーを押圧すると同時に該キーの押圧時間を前記第２計時手段で計数し、このキーの押圧時間が予め設定された時間に達したことが判断された時は前記端末本体をダイヤルロックモードに設定して前記操作部のキー操作が無効となるように構成したことを特徴とする請求項１記載の携帯端末。
【請求項４】
前記操作部の任意１つのキーを所定の時間押圧することによりダイヤルロック用のパスワードとして設定する押圧キー設定手段と、前記押圧キー設定手段で設定されたキーの押圧時間を計数する第２計時手段とを備え、前記パスワード設定手段によるキーの選択設定がなされていると判断された時は前記押圧キー設定手段で設定されたキーを押圧すると同時に該キーの押圧時間を前記第２計時手段で計数し、このキーの押圧時間が予め設定された時間に達したことが判別された時は前記端末本体をダイヤルロックモードに設定して前記操作部のキー操作が無効となるように構成したことを特徴とする請求項１記載の携帯端末。
【請求項５】
前記センサー設定手段により前記センサーが作動状態に設定されない時は前記操作部のキー操作が有効となるように構成したことを特徴とする請求項１記載の携帯端末。
【請求項６】
前記パスワード設定手段によるキーの選択設定がなされておらず、かつ前記押圧キー設定手段で設定されたキーの押圧操作が判断できない時は前記操作部のキー操作が有効となるように構成したことを特徴とする請求項３または４記載の携帯端末。
【請求項７】
前記端末本体のダイヤルロックモードにおいて、前記押圧キー設定手段で設定されるべきキーを前記操作部上のキー操作で入力すると同時に該キーの押圧時間を第２計時手段で計数し、この押圧キー及びその押圧計数値と前記押圧キー設定手段で設定された押圧キー及び予め設定された時間値とを比較し、両者が一致した時は前記端末本体のダイヤルロックが解除されるように構成したことを特徴とする請求項３または４記載の携帯端末。
【発明の詳細な説明】
【０００１】
【発明の属する技術分野】
本発明は、盗難防止対策などに使用されるダイヤルロック機能を備えた携帯電話機や携帯情報端末、サブノート型パソコン等の携帯端末に関する。
【０００２】
【従来の技術】
例えば、携帯電話機においては、盗難や紛失によって所有者以外の第三者が不正に使用したり、または勝手に電話機本体に記憶されている各種データの閲覧や改竄、あるいは消去等を行ったりするのを防止するため、ダイヤルロック機能が設けられている。一般に、このダイヤルロックを設定・解除するためには、利用者が任意に定めた暗証番号を携帯電話機の入力部から入力する必要がある。
【０００３】
図４により従来の携帯電話機におけるダイヤルロック方法について説明する。
従来の携帯電話機におけるダイヤルロックの設定・解除に際しては、図４に示すように、まず、使用者の暗証番号を電話機のキー入力部から入力し、この暗証番号を電話機の内部記憶部に登録する（ステップＡ１）。
次いで、使用者は電話機のキー入力部を操作することによりダイヤルロック設定機能を起動するとともにダイヤルロック設定メニューから無効にしたい機能、例えばダイヤル発信や電話帳表示などのような機能を選択し設定する（ステップＡ２）。そして、次のステップＡ３においてダイヤルロック機能設定の有無を判定する。ここで、肯定判定された場合は、上記選択設定された機能を使用不能にするとともにダイヤルロック状態に設定する（ステップＡ４）。また、ステップＡ３において否定判定された場合は、ステップＡ５に移行してキーの操作を有効にし、電話機の全ての機能を使用可能な状態にする。なお、暗証番号は、０〜９の数字４桁からなる。
【０００４】
【発明が解決しようとする課題】
上記のような従来の携帯電話機におけるダイヤルロック式では、ダイヤルロックの設定・解除に使用される暗証番号が、０〜９の数字４桁からなるものであるため、９９９９通りの暗証番号を得ることができる。しかしながら、ダイヤルロック設定後に、第三者が無作為に４桁の番号を入力した場合でも、可能性が低いながらもダイヤルロックが解除されてしまうことがある。このため、確実なセキュリティ方法とは云い難い。従って、より強固な盗難防止策が望まれている。
【０００５】
本発明は上記のような従来の問題を解決するためになされたもので、操作部のキー操作によるダイヤルロック解除をより複雑にして、盗難防止策をより強固にし、併せて、操作部の不用意なキー操作に伴う誤動作を防止できるようにした携帯端末を提供することを目的とする。
【０００６】
【課題を解決するための手段】
上記目的を達成するために本発明は、端末本体に設けられた操作部と、前記操作部のキー操作によりダイヤルロックの設定及び解除を可能にした携帯端末であって、前記端末本体に作用する振動を検知するセンサーと、前記センサーを作動状態に設定するセンサー設定手段と、
前記センサーが作動状態に設定された時点から前記端末本体に対する振動無しの時間を計数する第１計時手段と、前記端末本体に対する振動無しの時間を予め設定する振動無し時間設定手段と、前記操作部上の２つ以上の任意キーを選択することによりダイヤルロック用のパスワードとして設定するパスワード設定手段とを備え、前記センサーが前記センサー設定手段により作動状態に設定された時点から前記第１計時手段の計数動作を開始し、該第１計時手段の計数値が前記振動無し時間設定手段で設定された時間以上になった時は前記端末本体をダイヤルロックモードに移行させ、このダイヤルロックモードの状態において前記パスワード設定手段で２つ以上の任意キーが選択され設定されていることにより前記操作部のキー操作が無効となるように構成し、前記端末本体のダイヤルロックモードにおいて、前記パスワード設定手段で選択設定されるべきキーを前記操作部上のキー操作によりダイヤルロック解除用のパスワードとして入力し、この入力したキーと前記パスワード設定手段で設定されたキーとが比較され、両者が一致した時は前記端末本体のダイヤルロックが解除されるように構成したことを特徴とする。
【０００７】
本発明においては、操作部上の２つ以上の任意キーを選択することによりパスワード設定手段によりダイヤルロック用のパスワードとして設定し、さらに端末本体に対する振動無しの時間を振動無し時間設定手段により予め設定する。そして、前記端末本体に作用する振動を検知するセンサーをセンサー設定手段により作動状態に設定し、前記センサーが作動状態に設定された時点から前記端末本体に対する振動無しの時間を第１計時手段により計数し、前記センサーが前記センサー設定手段により作動状態に設定された時点からの前記第１計時手段による計数値が前記振動無し時間設定手段で設定された時間以上になった時、前記端末本体をダイヤルロックモードに移行させる。このダイヤルロックモードでは、前記パスワード設定手段で２つ以上の任意キーが選択され設定されていれば前記操作部のキー操作が無効となる。また、前記端末本体のダイヤルロックモードにおいて、前記パスワード設定手段で選択設定されたキーを前記操作部上のキー操作によりダイヤルロック解除用のパスワードとして入力し、この入力したキーと前記パスワード設定手段で設定されたキーとが一致した時は前記端末本体のダイヤルロックが解除される。よって、本発明によれば、操作部のキー操作によるダイヤルロック解除をより複雑にして盗難防止策をより強固にし、操作部の不用意なキー操作に伴う誤動作を防止できる。
【０００８】
【発明の実施の形態】
以下、本発明の実施の形態について図面を参照して説明する。
図１は、本発明にかかるダイヤルロックの設定及び解除方式を携帯電話機に適用した場合の実施の形態を示す携帯電話機のブロック図、図２は本発明にかかるダイヤルロック設定及び解除方式の機能ブロック図、図３は本発明にかかるダイヤルロック機能の動作説明用フローチャートである。
【０００９】
図１に示した携帯電話機は、アンテナ１、送受信部２、データ処理部３、アプリケーション部４、ブラウザ部５、ＣＰＵ部６、表示部７、送話部８、受話部９、操作部１０及びセンサー１１を備えている。
携帯電話機の利用者が操作部１０上のキーを操作することにより発信操作を行うと、ＣＰＵ部６はこの操作に基づいてダイヤル信号処理がなされ、送受信部２及びアンテナ１を通して発信する。そして、通信相手端末との回線が確立された状態においては、例えば、送話部８から入力された音声はアプリケーション部４を通してデータ処理部３に送られ、このデータ処理部３で符号化及び変調処理された後、送受信部２で無線周波数に変調されてアンテナ１から相手側に送信される。また、通信相手端末からアンテナ１及び送受信部２を通して受信された無線周波数はベースバンド信号に変換され、さらにデータ処理部３により復調及び復号化処理された後、アプリケーション部４を通して受話部９に供給され、受話部９で音声に変換される。
【００１０】
また、携帯電話機の利用者宛に送信されてきたメール等の信号がアンテナ１を通して送受信部２で受信された場合は、このメール等の信号はデータ処理部３で復調され、アプリケーション部４では、メール等の信号の受信電波に必要なアプリケーション、すなわち通信処理プロトコルが選択される。これにより最適な処理がなされるとともにブラウザ部５を介して表示部７に出力され、この表示部７に受信したメールの内容が表示される。
また、利用者の携帯電話機から通信相手端末へメール等のデータ情報を送信するに際しては、まず、操作部１０上の所定のキーを操作することによりアプリケーション部４を含む携帯電話機をメール入力モードに設定し、しかる後、操作部１０上のキーを操作してメールの内容を入力する。そして、入力されたメールを通信相手端末へ送信する場合は、通信相手端末のダイヤル番号を操作部１０から入力し、通信相手端末との通信回線を確立させた後、操作部１０上のメール送信キーを操作することにより、通信相手端末へのメール送信が可能になる。
【００１１】
また、携帯電話機によるインターネットへのアクセスに際しては、操作部１０上の所定のキーを操作することによりブラウザ５を含む携帯電話機をインターネットへのアクセスモードに設定する。これに伴い、ブラウザ部５が動作することにより、インターネット上の様々なデータをアクセスするための情報検索用のアイコンなどを表示部７に表示させ、このアイコンを操作部１０上のカーソルキーを操作することにより、文字や音声・映像等のデータを検索可能にする。
【００１２】
上記ＣＰＵ部６は、送受信部２、データ処理部３、ブラウザ部５及び表示部７等を制御するものであり、操作部１０はダイヤル番号入力、メール選択や通話選択のほか、ダイヤルロックの設定及び解除のためのキー入力が可能なように構成されている。
また、センサー１１は現在の携帯電話機の状況を判断するためのもので、携帯電話機本体に作用する振動を検出する振動センサーから構成され、携帯電話機本体の現在の振動状況を監視することにより、携帯電話機本体の振動状況を把握し、ＣＰＵ部６により携帯電話機のダイヤルロックの設定やダイヤルロックの解除が可能になるようになっている。
【００１３】
次に、図２に示すよりダイヤルロックの設定及び解除のための構成について説明する。
この実施の形態におけ携帯電話機のダイヤルロックの設定及び解除のための機能は、センサー１１と、センサー設定手段２１と、第１計時手段２２と、振動無し時間設定手段２３と、パスワード設定手段２４と、押圧キー設定手段２５と、第２計時手段２６等により達成される。
【００１４】
上記センサー１１は、携帯電話機の携帯時などに携帯電話機本体に作用する振動を検知するものである。
上記センサー設定手段２１は、センサー１１を作動状態に設定するもので、操作部１０上の所定にキーを操作した時の信号をＣＰＵ部６に取り込むことにより行われる。
上記第１計時手段２２は、センサー１１がセンサー設定手段２１により作動状態に設定された時点から携帯電話機本体に対する振動無しの時間を計数するもので、ＣＰＵ部６と、これが内蔵する記憶部６ａにより構成される。また、この第１計時手段２２は、これで計数される計数値が振動無し時間設定手段２３で設定された時間に達する以前にセンサー１１が振動を検知するごとにリセットされる構成になっている。
上記振動無し時間設定手段２３は、携帯電話機本体に対する振動無しの時間を予め設定するもので、操作部１０とＣＰＵ部６により構成される。
【００１５】
上記パスワード設定手段２４は、操作部１０上の２つ以上の任意キーを選択することにより、このキー数をダイヤルロック用のパスワードとして設定するもので、操作部１０とＣＰＵ部６により構成される。
上記押圧キー設定手段２５は、操作部１０の任意１つのキーを所定の時間押圧することによりダイヤルロック用のパスワードとして設定するもので、操作部１０とＣＰＵ部６により構成される。
また、上記第２計時手段２６は、押圧キー設定手段２５で設定されたキーの押圧時間を計数するもので、ＣＰＵ部６と、これが内蔵する記憶部６ａにより構成される。
【００１６】
次に、本実施の形態におけるダイヤルロックの設定及び解除動作について図３を参照して説明する。
ダイヤルロックの設定に際しては、まず、パスワード設定手段２４により、操作部１０上の２つ以上の任意キーを選択し設定する。例えば、操作部１０上の数字キーのうち「１」と「９」をダイヤルロック用のパスワードとして選択し設定するか、または押圧キー設定手段２５により、操作部１０上の電源キーを除く任意１つのキーをダイヤルロック用のパスワードとして設定する（ステップＳ１）。次に、振動無し時間設定手段２３により携帯電話機本体に対する振動無しの時間を所定の値、例えば２分に設定する（ステップＳ２）。
【００１７】
次いで、センサー設定手段２１によりセンサー１１が作動状態に設定されたか否かを判定する（ステップＳ３）。ここで、センサー１１が作動状態に設定されていない場合はステップＳ４に進み、操作部１０のキー操作を有効にする。また、センサー１１が作動状態に設定されていると判定された場合はステップＳ５に進み、第１計時手段２２を動作開始させて、センサー１１が作動状態に設定された時点から携帯電話機本体に対する振動無しの時間を計数する。そして、次のステップＳ６において、第１計時手段２２の計数値が振動無し時間設定手段２３により設定された時間値（例えば、２分間）に達したかを判定する。ここで、第１計時手段２２の計数値が振動無し時間設定手段２３により設定された時間値に達したことが判定されると携帯電話機はダイヤルロックモードに移行される。
【００１８】
次に、パスワード設定手段２４で２つ以上の任意キーが設定されているか否かを判定する（ステップＳ７）。ここで、「ＹＥＳ」と判定された場合はステップＳ８に進み、ダイヤルロック状態に設定して操作部１０のキー操作を無効にする。また、「ＮＯ」と判定された場合はステップＳ９に進み、押圧キー設定手段２５で操作部１０上の任意１つのキーが設定されているか否かを判定する。ここで、「ＮＯ」と判定された場合はステップＳ４に進み、操作部１０のキー操作を有効にする。また、「ＹＥＳ」と判定された場合はステップＳ１０に進み、押圧キー設定手段２５で設定されたキーを押圧し、その押圧時間を第２計時手段２６で計数する。そして、このキーの押圧時間が予め設定された時間（例えば、２秒間）に達した時はステップＳ８に進み、ダイヤルロック状態に設定して操作部１０のキー操作を無効にする。
【００１９】
一方、上記携帯電話機のダイヤルロック設定状態において、このダイヤルロックを解除する場合は、パスワード設定手段２４で選択設定されたのと同じキーを操作部１０上のキー操作により入力する（ステップＳ１１）。そして、このダイヤルロック解除用のパスワードとして入力したキーとパスワード設定手段２４で設定されたキーとが比較され、両者が一致した時は携帯電話機のダイヤルロックが解除される（ステップＳ１２）。また、一致しない場合はダイヤルロックの解除操作を無効とし、処理が終了する。
【００２０】
このような本実施の形態による携帯電話機によれば、センサー１１が作動状態に設定された時点から第１計時手段２２の計数動作を開始し、この第１計時手段２２の計数値が振動無し時間設定手段２３で設定された時間値に達した時に携帯電話機をダイヤルロックモードに移行されるとともに、パスワード設定手段２４で２つ以上の任意キーを選択し設定することにより携帯電話機をダイヤルロック状態に設定して操作部１０のキー操作を無効にし、また、パスワード設定手段２４で選択設定されたのと同じキーを操作部１０上のキー操作により入力し、このダイヤルロック解除用のパスワードとして入力したキーとパスワード設定手段２２で設定されたキーとを比較して、両者が一致した時に携帯電話機のダイヤルロックを解除する構成にしたので、パスワード設定手段２４で選択設定されたのと同じキーを操作部１０のキー操作で入力することによるダイヤルロック解除をより複雑にして盗難防止策をより強固にできる。すなわち、パスワード設定手段２４で選択設定されるキー数は２個以上であるため、例えば、操作部１０のキーを１０個利用した場合、１０の階乗に相当する数のパスワードを生成することができるため、従来の４桁の暗証番号を入力することでダイヤルロック解除する方式に比べ、その解除をより複雑にして盗難防止策の強化に対応できる。
【００２１】
また、この実施の形態によれば、携帯電話機本体の振動を検知するセンサー１１を設け、このセンサー１１が作動状態に設定された時点から振動無しの状態が振動無し時間設定手段２３で設定された時間以上になった時に携帯電話機をダイヤルロックモードに移行させる構成にしたので、携帯電話機が衣服のポケット内など収容されている時、操作部１０キーが不用意に押されても、そのキー操作に伴う携帯電話機の誤動作を防止できる。
また、この実施の形態によれば、操作部１０の任意１つのキーを所定の時間押圧することによりダイヤルロック用のパスワードとして設定する押圧キー設定手段２５を設け、この押圧キー設定手段２５で設定されたキーの押圧時間が予め設定され時間に達した時に携帯電話機をダイヤルロックモードに設定して操作部１０のキー操作が無効となるように構成することにより、さらに、ダイヤルロック解除を複雑にして盗難防止策をより強固にすることができる。
【００２２】
なお、上記実施の形態では、本発明方式を携帯電話機に適用した場合について説明したが、本発明はこれに限らず、携帯情報端末やサブノート型パソコン等の携帯端末にも適用できる。
また、上記実施の形態では、パスワード設定手段２４による２つ以上のキーの選択設定と、押圧キー設定手段２５による任意１つのキーの押圧設定とが別々に行われることによりダイヤルロックの設定または解除を可能にした場合について説明したが、本発明はこれに限らず、パスワード設定手段２４による２つ以上のキーの選択設定と、押圧キー設定手段２５による任意１つのキーの押圧設定とが共になされた時にダイヤルロックの設定または解除が行われるようにしてもよい。この場合は、ダイヤルロック解除を更に複雑にして盗難防止策をより強固にできる。
【００２３】
【発明の効果】
以上のように本発明の携帯端末によれば、操作部のキー操作によるダイヤルロック解除をより複雑にして盗難防止策をより強固にし、操作部の不用意なキー操作に伴う誤動作を防止することができる。
【図面の簡単な説明】
【図１】本発明にかかるダイヤルロックの設定及び解除方式を携帯電話機に適用した場合の実施の形態を示す携帯電話機のブロック図である。
【図２】本発明にかかるダイヤルロック設定及び解除方式の機能ブロック図である。
【図３】本発明にかかるダイヤルロック機能の動作説明用フローチャートである。
【図４】従来におけるダイヤルロック機能の動作説明用フローチャートである。
【符号の説明】
１……アンテナ、２……送受信部、３……データ処理部、４……アプリケーション部、５……ブラウザ部、６……ＣＰＵ部、７……表示部、８……送話部、９……受話部、１０……操作部、１１……センサー、２１……センサー設定手段、２２……第１計時手段、２３……振動無し時間設定手段、２４……パスワード設定手段、２５……押圧キー設定手段、２６……第２計時手段。
【図１】
0004078588.tif 000002
【図２】
0004078588.tif 000003
【図３】
0004078588.tif 000004
【図４】
0004078588.tif 000005